(57)【特許請求の範囲】
【請求項１】
筆記具等の外軸に設けられたクリップの先端にクリップ飾りを取り付けるクリップ飾りのクリップへの取付構造において、
クリップ及びクリップ飾りのいずれか一方に横断面下向きコ字状をなすコ字状部を形成し、該コ字状部の下向きコ字状の下端部から反対側の下端部へと向かって突出する突起を、クリップ及びクリップ飾りの長手方向前後に離間してコ字状部の２ヶ所に形成し、クリップ及びクリップ飾りの他方に、該コ字状部内へと挿入される被挿入部を形成し、被挿入部には、前記突起に対応した部位に該突起を受ける受面を形成し、被挿入部の被挿入先端は、前記長手方向前後に離間して２ヶ所に形成された突起の間の下方からコ字状部内へと挿入可能となっており、長手方向前後に離間して２ヶ所に形成された突起のいずれか一方の突起に対応する受面から被挿入部の被挿入先端までに相当する被挿入部の部位は、当該突起の上側のコ字状部内を長手方向に通過可能であり、且つ、長手方向前後に離間して２ヶ所に形成された突起の他方の突起に対応する受面に相当する被挿入部の部位は、当該突起を長手方向に略直交する方向に通過可能であり、被挿入部は、前記長手方向前後に離間して２ヶ所に形成された突起のいずれか一方の突起の上側を通過し、他方の突起を長手方向に略直交する方向に通過して、コ字状部に挿入されて取り付けられてなることを特徴とするクリップ飾りのクリップへの取付構造。
【請求項２】
前記被挿入部の被挿入先端の端面には、その上下の角が削られた傾斜面が形成されることを特徴とする請求項１記載のクリップ飾りのクリップへの取付構造。
【請求項３】
前記前後に離間して２ヶ所に形成された突起の他方の突起に対応する受面に相当する被挿入部の部位の側面には、その上側の角が削られた傾斜面が形成されることを特徴とする請求項１または２に記載のクリップ飾りのクリップへの取付構造。
【請求項４】
前記長手方向前後に離間して２ヶ所に形成された突起は、それぞれ、コ字状部の下向きコ字状の両側の下端部から互いに向けて突出する一対の突起である請求項１ないし３のいずれか１項に記載のクリップ飾りのクリップへの取付構造。
【発明の詳細な説明】
【０００１】
【発明の属する技術分野】
本発明は、筆記具等の外軸に設けられたクリップの先端にクリップ飾りを取り付けるクリップ飾り取付構造に関し、特に簡単に取り付けることができるクリップ飾り取付構造に関する。
【０００２】
【従来の技術】
従来、金属製のクリップの先端に、意匠性を向上させること、及び／またはクリップの裏面に筆記具内の筆記媒体を突出させるためのカム部を形成すること、その他を目的として、樹脂製のクリップ飾りを取り付けることが行われている。クリップ飾りは、クリップの先端に取り付けられた後は脱落することがないように、クリップに確実に固定される必要がある。そこで、従来の取付構造としては、クリップ飾りをクリップの先端に水平方向に挿入して、圧入することが行われている。
【０００３】
【発明が解決しようとする課題】
しかしながら、従来の取付構造では、圧入する構造となっているために、治具を用いなければ、事実上組み込むことが困難であり、そのために作業工程が増加するという問題があった。さらには、この圧入作業時に、クリップを無理やり押し広げて、クリップ飾りを挿入するために、クリップが歪曲したり、またはクリップ飾りの一部が削れたりして、部品が破損するという問題があった。
【０００４】
さらには、圧入作業を可能とするために、クリップのクリップ飾りに対する支持点はせいぜい、２点程度であり、それ以上増加させることはできなかった。そのために、あまり大きな支持強度を持たせることができないという問題があった。
【０００５】
本発明はかかる課題に鑑みなされたもので、クリップ飾りを簡単にクリップに取り付けることができ、且つ、取り付けた後は、簡単に外れることはなく、大きな支持強度で支持することができるクリップ飾りのクリップへの取付構造を提供することをその目的とする。
【０００６】
【課題を解決するための手段】
上記目的を達成するために、請求項１記載の本発明は、筆記具等の外軸に設けられたクリップの先端にクリップ飾りを取り付けるクリップ飾りのクリップへの取付構造において、
クリップ及びクリップ飾りのいずれか一方に横断面下向きコ字状をなすコ字状部を形成し、該コ字状部の下向きコ字状の下端部から反対側の下端部へと向かって突出する突起を、クリップ及びクリップ飾りの長手方向前後に離間してコ字状部の２ヶ所に形成し、クリップ及びクリップ飾りの他方に、該コ字状部内へと挿入される被挿入部を形成し、被挿入部には、前記突起に対応した部位に該突起を受ける受面を形成し、被挿入部の被挿入先端は、前記長手方向前後に離間して２ヶ所に形成された突起の間の下方からコ字状部内へと挿入可能となっており、長手方向前後に離間して２ヶ所に形成された突起のいずれか一方の突起に対応する受面から被挿入部の被挿入先端までに相当する被挿入部の部位は、当該突起の上側のコ字状部内を長手方向に通過可能であり、且つ、長手方向前後に離間して形成された突起の他方の突起に対応する受面に相当する被挿入部の部位は、当該突起を長手方向に略直交する方向に通過可能であり、被挿入部は、前記長手方向前後に離間して形成された突起のいずれか一方の突起の上側を通過し、他方の突起を長手方向に略直交する方向に通過して、コ字状部に挿入されて取り付けられてなることを特徴とする。
【０００７】
クリップ飾りをクリップに取り付けるには、次のようにして行う。クリップ及びクリップ飾りのいずれか他方に形成された被挿入部の被挿入先端を、クリップ及びクリップ飾りの一方に形成されたコ字状部の長手方向に離間して形成される２ヶ所の突起の間の下方からコ字状部へと挿入する。そして、被挿入部の被挿入先端から受面までの部位に、対応する突起の上側のコ字状部内を長手方向に通過させた後、対応する受面を突起に係合させる。次に、被挿入部を揺動し、他方の受面に相当する被挿入部の部位に、他方の突起を長手方向に略直交する方向に通過させた後、対応する受面を突起に係合させる。
【０００８】
こうして、受面が対応する突起に係合して、被挿入部とコ字状部とが結合して、クリップ飾りがクリップに取り付けられる。クリップ飾りをクリップに圧入しないで取り付けることができるために、作業が簡単になり、部品の破損も防止することができるようになる。取付後は、長手方向に離間した複数の突起が、それぞれ対応する受面と係合するので、支持剛性を向上させることができる。よって、ガタ、脱落等を防ぐことができる。尚、受面の少なくともいずれか一つは、受面の前または後の少なくともいずれかよりも高さの低い位置に形成して、突起との係合を確実にすることも可能である。
【０００９】
前記被挿入部の被挿入先端の端面には、その上下の角が削られた傾斜面が形成されるとよい。これにより、被挿入先端が突起の上側を通過するときに、被挿入先端が突起またはコ字状部に引っ掛かることなく円滑に突起の上側のコ字状部内を通過することができる。
【００１０】
また、前記前後に離間して２ヶ所に形成された突起の他方の突起に対応する受面に相当する被挿入部の部位の側面には、その上側の角が削られた傾斜面が形成されるとよい。これにより、被挿入部が長手方向に略直交する方向に突起を通過するときに、被挿入部が突起に引っ掛かることなく、円滑に突起を通過することができる。
【００１１】
また、前記長手方向前後に離間して形成される突起は、それぞれ、コ字状部の下向きコ字状の両側の下端部から互いに向けて突出する一対の突起であるとよい。一対の突起がそれぞれ受面に係合することで、より支持剛性を向上させることができる。
【００１２】
【発明の実施の形態】
以下、図面を用いて本発明の実施の形態を説明する。
【００１３】
図１は、本発明のクリップ飾り取付構造が適用される筆記具の一例であり、筆記具としてボールペンを例にとった場合を示している。筆記具の外軸１２にクリップ１４が取り付けられる。外軸１２は、軸筒２０と、該軸筒２０の後端に圧入される尾冠２２と、軸筒２０の先端に螺着される先具２４と、を有している。軸筒２０の把持部の外周には、軸筒２０の段部と先具２４との間に、弾性グリッパー２６が外装されている。
【００１４】
外軸１２内には、インキを収容するレフィール２８が外軸１２の先端からその先端が出没可能に配設され、レフィール２８は、リターンスプリング２９によって常時後方へと付勢されている。そして、外軸１２の後部には、後述のクリップ飾り１６に形成されたカム部１６ａと共に、レフィール２８の出没を行う出没機構３０が配設される。
【００１５】
出没機構３０は、レフィール２８の後端が挿入されレフィール２８と共に軸方向に移動する揺動カム３２と、揺動カム３２の後端が挿入され尾冠２２に対して相対回転不能となったノックカム３４と、から構成される。ノックカム３４の後端には、天飾り３６が連結されており、天飾り３６と尾冠２２との間には、伸縮自在な蛇腹３８が配設されている。揺動カム３２の周面には、外径方向に突出した係止突起３２ａが形成されると共に、揺動カム３２の周面の、係止突起３２ａよりも後方にはカム受部３２ｂが形成されている。該係止突起３２ａは、前記軸筒２０の側面に形成された開口２０ａ内へと突出している。一方、ノックカム３４の先端には、前記カム受部３２ｂに係合可能となったカム部３４ａが形成されている。
【００１６】
ノックカム３４をノックすると、カム部３４ａが揺動カム３２のカム受部３２ｂに係合して、揺動カム３２を回転及び前進させるようになっており、これにより、揺動カム３２の係止突起３２ａは、開口２０ａを通り、前記クリップ飾り１６のカム部１６ａに係合し、または、係合が解除したりするようになっている。
【００１７】
このように、係止突起３２ａと係合可能となったカム部１６ａを設けるために、クリップ飾り１６は、金属製のクリップ１４とは異なる樹脂製部品から構成されており、そのために、クリップ飾り１６はクリップ１４の先端に取り付けられている。
【００１８】
図２に示すように、クリップ１４の先端部は、横断面下向きコ字状に折曲されたコ字状折曲部１４ａとなっており、さらに、コ字状折曲部１４ａには、コ字状に折曲された下端部から反対側の下端部へと互いに向かって突出する一対の突起が前方（前方突起１４ｂ、１４ｂで表す）と、後方（後方突起１４ｃ、１４ｃで表す）に、合計２ヶ所形成されている。勿論、長手方向に最低２ヶ所の突起を形成すれば良く、長手方向に２ヶ所以上の突起を形成することも可能である。また、クリップ１４の後端部には、差込片１４ｄが形成されており、この差込片１４ｄが前記尾冠２２に差し込まれて、尾冠２２に取り付けられる。
【００１９】
図３に示すように、クリップ飾り１６には、その裏面の中央部に前記揺動カム３２の係止突起３２ａを係合するためのカム部１６ａが形成されており、カム部１６ａには、係止突起３２ａを停止させるための係合部１６ａ１、係止突起３２ａを係合部１６ａ１へと誘導するための誘導斜面１６ａ２及び、係止突起３２ａを後退させるための後退路１６ａ３等が設けられている。
【００２０】
クリップ飾り１６の先端部は、クリップ１４の先端から突出する飾り本体部１６ｂ１となっており、飾り本体部１６ｂ１よりも後端側が、クリップ１４のコ字状折曲部１４ａ内へと挿入される被挿入部１６ｂ２となっている。被挿入部１６ｂ２の後端面には、その上下の角が削られた斜面１６ｆ、１６ｆが形成されている。また、クリップ飾り１６の裏面には、コ字状折曲部１４ａの突起１４ｂ、１４ｂ、１４ｃ、１４ｃに対してこれらの突起を受ける受面１６ｃ、１６ｃ、１６ｄが形成されている。受面１６ｃ、１６ｃ、１６ｄは、その前後の部分よりも少し低くなった位置に設けられるとよい。少なくとも、受面１６ｃの前の部分と、受面１６ｄの後の部分が、それぞれ受面１６ｃ、１６ｄよりも高い位置にあるか、または、受面１６ｃの後の部分と受面１６ｄの前の部分が、それぞれ受面１６ｃ、１６ｄよりも高い位置にあるとよい。
【００２１】
さらに、図３（ｃ）に示すように、受面１６ｃが形成されている被挿入部１６ｂ２の側面には、その上側の角が削られた斜面１６ｅ、１６ｅとなっている。
【００２２】
次に、以上のように構成されるクリップ飾り１６をクリップ１４に取り付ける作業を説明する。まず、クリップ飾り１６を図４及び図６に示すように、クリップ１４に対して傾けた状態で、クリップ飾り１６の後端を、クリップ１４の裏面側（下方）から前方突起１４ｂと後方突起１４ｃの間にあるコ字状折曲部１４ａに挿入する。そして、被挿入部１６ｂ２の後端をコ字状折曲部１４ａ内を滑らせながら、後方突起１４ｃの内側（上側）を潜らせるようにして通過させる。ここで、被挿入部１６ｂ２の後端面に形成された斜面１６ｆによって、被挿入部１６ｂ２が、後方突起１４ｃやコ字状部折曲部１４ａに引っ掛かることなく、傾けた状態でクリップ飾り１６を挿入してクリップ飾り１６が後方突起１４ｃの内側を通過しやすくなっている。そして、後方突起１４ｃを押し広げながら、被挿入部１６ｂ２の後端から受面１６ｄまでの部位に、後方突起１４ｃを通過させると、受面１６ｄに後方突起１４ｃが係合する。次いで、図４の矢印で示すようにクリップ飾り１６の先端を表側の方向（即ち、長手方向に略直交する方向）へと揺動させる。ここで、被挿入部１６ｂ２の側面に形成された斜面１６ｅがあるために、被挿入部１６ｂ２が前方突起１４ｂ、１４ｂに引っ掛かることなく、被挿入部１６ｂ２が一対の前方突起１４ｂ、１４ｂの間を通過しやすくなっている。そして、前方突起１４ｂ、１４ｂを押し広げながら、被挿入部１６ｂ２に前方突起１４ｂ、１４ｂの間を通過させると、受面１６ｃ、１６ｃに前方突起１４ｂ、１４ｂが係合する。これにより、クリップ飾り１６のクリップ１４への取付作業が完了する。治具などを用いずに（勿論、効率化を図るために治具を使用しても構わない）、簡単に作業を行うことができる。
【００２３】
クリップ飾り１６がクリップ１４に取り付けられた後は、一対の前方突起１４ｂが対応する受面１６ｃに係合し、一対の後方突起１４ｃが受面１６ｄに係合する。長手方向に離間した前方、後方のそれぞれ一対の突起１４ｂ、１４ｃで、クリップ飾り１６を押えるために、十分な支持剛性が得られ、取付強度を得ることができる。また、圧入によって取り付けるのではないために、部品が欠けるといった不具合を防止することができる。また、飾り本体部１６ｂ１には、取付構造は影響を及ぼさないために、外観デザインに与える制約を小さくすることができる。
【００２４】
以上の説明では、クリップ１４にコ字状折曲部１４ａを形成し、クリップ飾り１６に該コ字状折曲部１４ａに挿入される被挿入部１６ｂ２を形成したが、これに限るものではなく、クリップ飾り１６にコ字状折曲部、クリップ１４に被挿入部を形成することも可能である。また、前方突起、後方突起とも一対の突起とする代わりに、その少なくともいずれか一方を単一の突起とすることも可能であり、その場合でも、長手方向に離間して２ヶ所に形成された突起で被挿入部が押えられるために、支持剛性を持たせることができる。
【００２５】
【発明の効果】
以上説明したように、本発明によれば、クリップ飾りをクリップに圧入しないで取り付けることができるために、作業が簡単になり、部品の破損も防止することができるようになる。取付後は、長手方向に離間した複数の突起が、それぞれ対応する受面と係合するので、支持剛性を向上させることができる。よって、ガタ、脱落等を防ぐことができる。
【図面の簡単な説明】
【図１】本発明のクリップ飾り取付構造が適用される筆記具の一例を表す縦断面図である。
【図２】（ａ）はクリップの部分縦断面図、（ｂ）はクリップの底面図、（ｃ）は（ａ）図のｃ−ｃ線に沿って見たクリップの横断面図である。
【図３】（ａ）はクリップ飾りの側面図、（ｂ）はクリップ飾りの底面図、（ｃ）は（ａ）図のｃ−ｃ線に沿って見たクリップ飾りの横断面図である。
【図４】クリップ飾りをクリップに取り付ける途中状態を表す（ａ）は部分断面図（クリップ飾りは断面にしていない）、（ｂ）は底面図、（ｃ）は（ａ）図のｃ−ｃ線に沿って見たクリップ飾りの横断面図である。
【図５】クリップ飾りをクリップに取り付けた状態を表す（ａ）は部分断面図（クリップ飾りは断面にしていない）、（ｂ）は底面図、（ｃ）は（ａ）図のｃ−ｃ線に沿って見たクリップ飾りの横断面図である。
【図６】クリップ飾りをクリップに取り付ける途中状態を表す下方から見た斜視図である。
【符号の説明】
１４  クリップ
１４ａ  コ字状折曲部（コ字状部）
１４ｂ、１４ｃ  突起
１６  クリップ飾り
１６ｂ２  被挿入部
１６ｃ、１６ｄ  受面
１６ｅ  斜面
１６ｆ  斜面
【図１】
0003816019.tif 000002
【図２】
0003816019.tif 000003
【図３】
0003816019.tif 000004
【図４】
0003816019.tif 000005
【図５】
0003816019.tif 000006
【図６】
0003816019.tif 000007